(57)【特許請求の範囲】
【請求項１】
複数個のゴルフボールを収容するゴルフボール用スリーブ箱の外表面に、前記収容されたゴルフボールの識別番号を表示する識別番号表示用ラベルが貼り付けられたゴルフボール用スリーブ箱の製造方法であって、
前記ゴルフボールの識別番号を表示する平滑面とその裏側の粘着面とを有する複数のラベルを用意し、
幅方向の中央部に長手方向に沿って切り込みが設けられこの切り込みにより幅方向に分離可能な一対の半体からなる帯状のシート材を用意し、
前記複数のラベルを、前記平滑面を前記シート材の一方の面で前記一対の半体に跨がせ密着させつつ前記シート材の長手方向に並べてラベル供給体とし、
前記スリーブ箱を複数並べ、
前記ラベル供給体を、前記複数のスリーブ箱の前に送り出す際に、前記複数のスリーブ箱の手前で、前記一対の半体の一方を、前記一対の半体の他方及びこの他方に密着されたラベルから分離して前記複数のスリーブ箱から離れた箇所に位置させ、
前記複数のスリーブ箱の前に、前記一対の半体の他方に密着されたラベルを、前記ラベルの粘着面が、前記スリーブ箱の外表面でかつ該スリーブ箱に収容された前記ゴルフボールの頂部が位置する箇所に対向させ、前記一対の半体の他方及びこの他方に密着されたラベルを、前記シート材の他方の面側から前記スリーブ箱に押し付け、前記ラベルを、前記一対の半体の他方から前記スリーブ箱に転着させるようにした、
ゴルフボール用スリーブ箱の製造方法。
【発明の詳細な説明】
【０００１】
【発明の属する技術分野】
本発明は、ゴルフボール用スリーブ箱の製造方法に関し、さらに詳しくは、ゴルフボール購入時の識別番号の確認を容易にするゴルフボール用スリーブ箱の製造方法に関する。
【０００２】
【従来の技術】
ゴルフボールには識別番号が表示されている。
従来のゴルフボールのスリーブ箱は、この識別番号を確認するための窓が付いているが、その窓からではスリーブ箱に収容されたゴルフボールの識別番号を確認し難いため、購入者は箱を開けて識別番号を確認し、好みの識別番号のゴルフボールを購入しているのが現状である。そのため、識別番号の確認が煩わしく、場合によっては箱の開閉によってスリーブ箱の外観が悪くなるなどの不都合もある。
【０００３】
【発明が解決しようとする課題】
本発明の目的は、ゴルフボール購入時における識別番号の確認を容易にするゴルフボール用スリーブ箱の製造方法を提供することにある。
【０００４】
【課題を解決するための手段】
上記目的を達成するための本発明は、複数個のゴルフボールを収容するゴルフボール用スリーブ箱の外表面に、前記収容されたゴルフボールの識別番号を表示する識別番号表示用ラベルが貼り付けられたゴルフボール用スリーブ箱の製造方法であって、前記ゴルフボールの識別番号を表示する平滑面とその裏側の粘着面とを有する複数のラベルを用意し、幅方向の中央部に長手方向に沿って切り込みが設けられこの切り込みにより幅方向に分離可能な一対の半体からなる帯状のシート材を用意し、前記複数のラベルを、前記平滑面を前記シート材の一方の面で前記一対の半体に跨がせ密着させつつ前記シート材の長手方向に並べてラベル供給体とし、前記スリーブ箱を複数並べ、前記ラベル供給体を、前記複数のスリーブ箱の前に送り出す際に、前記複数のスリーブ箱の手前で、前記一対の半体の一方を、前記一対の半体の他方及びこの他方に密着されたラベルから分離して前記複数のスリーブ箱から離れた箇所に位置させ、前記複数のスリーブ箱の前に、前記一対の半体の他方に密着されたラベルを、前記ラベルの粘着面が、前記スリーブ箱の外表面でかつ該スリーブ箱に収容された前記ゴルフボールの頂部が位置する箇所に対向させ、前記一対の半体の他方及びこの他方に密着されたラベルを、前記シート材の他方の面側から前記スリーブ箱に押し付け、前記ラベルを、前記一対の半体の他方から前記スリーブ箱に転着させるようにしたことを特徴とする。
【０００５】
本発明によれば、識別番号表示用ラベルが簡単に確実に貼られたゴルフボール用スリーブ箱が得られる。
したがって、本発明により得られたゴルフボール用スリーブ箱によれば、購入者は箱を開けて識別番号を確認する必要がなくなり、ゴルフボール購入時における識別番号の確認が容易になる。
【０００６】
【発明の実施の形態】
以下、本発明の構成について添付の図面を参照して詳細に説明する。図１〜図２は本発明で得られたゴルフボール用スリーブ箱を示すものである。図１及び図２に示すように、本実施形態のゴルフボール用スリーブ箱１は、スリーブ状に組み立てた箱本体２の少なくとも一方の端部に扉部３を設けた構成になっている。このゴルフボール用スリーブ箱１は、複数個（図では３個）のゴルフボール４を収容するようになっているが、その個数は２〜６個の範囲で選択すると良い。
【０００７】
上記スリーブ箱１の外表面には、スリーブ箱１に収容されたゴルフボール４の識別番号を表示するラベル（識別番号表示用ラベル）５が貼り付けられている。このラベル５に表示される識別番号は、スリーブ箱１内のゴルフボール４に付与された識別番号と一致するものである。識別番号の種類は、特に限定されるものではなく、英数字、ローマ数字のほか、番号を意味する各種の記号等であっても良い。
【０００８】
このようにスリーブ箱１の外表面にゴルフボール４の識別番号を表示するラベル５を貼り付けることにより、ゴルフボール購入時における識別番号の確認が容易になる。
【０００９】
次に、本発明のゴルフボール用スリーブ箱の製造方法について説明する。図３は本発明の製造方法を実施するためのラベル貼付け装置の一例である。図３に示すように、本実施形態のラベル貼付け装置は、並立させた複数個のスリーブ箱１の前面に沿って帯状のラベル供給体２１を連続的に供給する一対の回転軸からなるラベル供給部１１と、ラベル供給体２１をスリーブ箱１に押し付けるラベル押圧部１２とを備えている。
【００１０】
ラベル供給体２１は、ゴルフボールの識別番号を表示する平滑面とその裏側の粘着面とを有する複数のラベル５と、これらラベル５の平滑面を密着させた帯状のシート材２２とから構成されている。即ち、ラベル５はシート材２２上に密着状態で保持されているが、その粘着面がスリーブ箱１の外表面に粘着したときシート材２２から剥離するようになっている。シート材２２の材料としては、紙やプラスチックフィルム等を使用することができる。
【００１１】
上記ラベル貼付け装置を用いてラベル貼付け作業を行う場合、先ず、所定の識別番号が付与された複数個のゴルフボールをそれぞれ収容した複数個のスリーブ箱１を所定の位置に並立させ、ラベル供給体２１をラベル５の粘着面がスリーブ箱１の外表面に対向するように配置する。この状態で、ラベル押圧部１２によりラベル供給体２１をスリーブ箱１に押し付けてラベル５をスリーブ箱１に転着させる。このようにしてラベル５の貼付けが完了したら、新たなスリーブ箱１を所定の位置に配置すると共に、ラベル供給部１１によりラベル供給体２１を送り出して新たなラベル５をスリーブ箱１の前に配置し、上記と同様の操作を繰り返す。これにより、ラベル貼付け作業を連続的に行うのである。
【００１２】
上記ラベル貼付け方法によれば、スリーブ箱１に対して簡単にラベル５を貼ることができる。特に、図２に示すように、ラベル５をスリーブ箱１におけるゴルフボール４の頂部に対応する位置に配置すれば、ラベル押圧部１２の押圧力をラベル５に対して確実に付与することができる。
【００１３】
図４は本発明のゴルフボール用スリーブ箱のラベル貼付け方法を実施するための他のラベル貼付け装置である。図４に示すように、本実施形態のラベル貼付け装置では、シート材２２の中央に長手方向に沿って切り込み２３を設けたラベル供給体２１’を使用する。
より詳細に説明すると、幅方向の中央部に長手方向に沿って切り込み２３が設けられこの切り込み２３により幅方向に分離可能な一対の半体２２ａ、２２ｂからなる帯状のシート材２２を用意する。次に、複数のラベル５を、平滑面をシート材２２の一方の面で一対の半体２２ａ、２２ｂに跨がせ密着させつつシート材２２の長手方向に並べてラベル供給体２１’とする。
そして、例えば、ラベル供給体２１’の送給路に支柱２４を設け、この支柱２４を折り返し点としてシート材２２の上部２２ａを下部２２ｂから切り離して巻き取る一方で、シート材２２の下部２２ａをラベル５と共にスリーブ箱１の前に送り出すようになっている。
すなわち、スリーブ箱１を複数並べ、ラベル供給体２１’を、複数のスリーブ箱１の前に送り出す際に、複数のスリーブ箱１の手前で、一対の半体２２ａ、２２ｂの一方２２ａを、一対の半体２２ａ、２２ｂの他方２２ｂ及びこの他方２２ｂに密着されたラベル５から分離して複数のスリーブ箱１から離れた箇所に位置させる。
そして、複数のスリーブ箱１の前に、一対の半体２２ａ、２２ｂの他方２２ｂに密着されたラベル５をスリーブ箱１の外表面に対向させ、一対の半体２２ａ、２２ｂの他方２２ｂ及びこの他方２２ｂに密着されたラベル５を、シート材２２の他方の面側からスリーブ箱１に押し付け、ラベル５を、一対の半体２２ａ、２２ｂの他方２２ｂからスリーブ箱１に転着させる。
【００１４】
この場合、ラベル押圧部１２による押圧時においてシート材２２の上部２２ａがラベル５から剥がされた状態になっているので、ラベル５の転着をより確実に行うことができる。
【００１５】
【発明の効果】
ゴルフボールを入れたスリーブ箱にラベルを貼るのは困難であるが、本発明によれば、識別番号表示用ラベルをスリーブ箱に対して簡単にラベルを貼ることができる。
したがって、本発明により得られたゴルフボール用スリーブ箱によれば、購入者は箱を開けて識別番号を確認する必要がなくなり、ゴルフボール購入時における識別番号の確認が容易になる。
【図面の簡単な説明】
【図１】  本発明で得られたゴルフボール用スリーブ箱を示す正面図である。
【図２】  図１のＸ−Ｘ矢視断面図である。
【図３】  本発明の製造方法を実施するためのラベル貼付け装置の一例を示す斜視図である。
【図４】  本発明の製造方法を実施するための他のラベル貼付け装置を示す斜視図である。
【符号の説明】
１  スリーブ箱
２  箱本体
３  扉部
４  ゴルフボール
５  ラベル
１１  ラベル供給部
１２  ラベル押圧部
２１  ラベル供給体
２２  シート材
【図１】
0004560759.tif 000002
【図２】
0004560759.tif 000003
【図３】
0004560759.tif 000004
【図４】
0004560759.tif 000005